(57)【要約】【課題】  ディスプレイのオフ時において、ハーフミラーの裏面側が極力見えないようにすると共に、ディスプレイのオン時はディスプレイ映像を鮮明に見ることができる薄型ディスプレイ用ハーフミラーを提供する。【解決手段】  薄型ディスプレイの前面側に配置されるハーフミラーであって、ハーフミラーの上記ディスプレイ側の裏面において、上記ディスプレイに対応する部分以外の領域に遮光層を設け、上記ディスプレイに対応する領域を光透過領域とした薄型ディスプレイ用ハーフミラーにおいて、上記ハーフミラーの裏面と上記遮光層との間に透明フィルム層を設け、上記光透過領域においては上記ハーフミラーの裏面側に上記透明フィルム層が介在するように構成する。【選択図】  図３
2011071973.tif 000002
【特許請求の範囲】
【請求項１】
薄型ディスプレイの前面側に配置されるハーフミラーであって、ハーフミラーの上記ディスプレイ側の裏面において、上記ディスプレイに対応する部分以外の領域に遮光層を設け、上記ディスプレイに対応する領域を光透過領域とした薄型ディスプレイ用ハーフミラーにおいて、
上記ハーフミラーの裏面と上記遮光層との間に透明フィルム層を設け、上記光透過領域においては上記ハーフミラーの裏面側に上記透明フィルム層が介在するように構成したものであることを特徴とする薄型ディスプレイ用ハーフミラー。
【請求項２】
上記透明フィルム層は上記ハーフミラーの裏面側に透明フィルムを貼着することにより構成し、
上記遮光層は上記透明フィルムの裏面側に遮光フィルムを貼着することにより構成したものであることを特徴とする請求項１記載の薄型ディスプレイ用ハーフミラー。
【請求項３】
上記透明フィルム層と上記遮光層は、透明フィルムの裏面側に上記遮光層を印刷により形成して遮光層付透明フィルムとし、
当該遮光層付透明フィルムの表面側を上記ハーフミラー裏面に貼着することにより構成したものであることを特徴とする請求項１記載の薄型ディスプレイ用ハーフミラー。
【請求項４】
請求項１〜３の何れかに記載の薄型ディスプレイ用ハーフミラーを薄型ディスプレイの前面側に設置し、上記ディスプレイに対応する上記ハーフミラーの部分に上記光透過領域を対応させたものであることを特徴とする薄型ディスプレイ装置。
【発明の詳細な説明】
【技術分野】
【０００１】
本発明は、液晶テレビ等の薄型ディスプレイの前面側に設置され、通常は鏡として機能しており、ディスプレイに映像を表示した場合は該映像を前面側から見ることができるようにした薄型ディスプレイ用ハーフミラー及びそのハーフミラーを使用した薄型ディスプレイ装置に関するものである。
【背景技術】
【０００２】
従来、住宅又はオフィスの壁面内に液晶ディスプレイ等の薄型ディスプレイを設置し、その前面側をハーフミラーで閉鎖することで、室内において上記ハーフミラーを鏡として機能させ、ディスプレイに映像を表示した場合は上記ハーフミラーを介して上記ディスプレイの映像を室内から見ることができるようにした装置が実用化されている（特許文献１）。
【０００３】
かかる装置は、上記薄型ディスプレイ装置を、外光を遮断する筺体内或いは壁内に設置すると共に、ハーフミラーでディスプレイ前面側空間を閉鎖し、これによりディスプレイ側を室内より暗く設定することで、ハーフミラーを通常は鏡として機能させ、上記ディスプレイをオンしてディスプレイ画面上に映像を表示した場合は、該ディスプレイのバックライト等の光をハーフミラーを介して前面側に透過させ、これにより上記ハーフミラー前面側から上記映像を確認できるようにした構造であった（特許文献１）。
【先行技術文献】
【特許文献】
【０００４】
【特許文献１】特開２００５−２６０５４５
【特許文献２】特開２００６−８６６４３
【発明の概要】
【発明が解決しようとする課題】
【０００５】
ところで、上記従来の装置において、室内側から上記ハーフミラーを鏡として機能させるには、ハーフミラーの前面側からハーフミラーの背後（ディスプレイ側）は透けて見えないようにすることが好ましい。そのためには、ハーフミラーの背面を遮光空間とすることが必要になるが、ハーフミラーの背面の空間を完全に遮光するには、ディスプレイを設置する筺体を遮光構造とする必要があり、その構造が複雑になるという課題がある。
【０００６】
そこで、上記ハーフミラーの裏面側（ディスプレイ側）において、ディスプレイに対応する部分以外の領域を遮光層で覆うことで、当該遮光領域においてはハーフミラー前面側からハーフミラー裏面側に光が透過しないように構成し、かつディスプレイに対応するエリアのみを遮光層のない領域（光透過領域）とすることで、ディスプレイの動作時以外は、ハーフミラーの前面側を鏡として機能させるものが提案されている（特許文献２）。
【０００７】
しかしながら、上記従来の装置において、上記光透過領域はハーフミラーであるから、室内の明るさや光線の具合によっては、上記光透過領域からハーフミラー内部のディスプレイその他の部品や、上記非遮光領域と遮光領域の境界線が透けて見えることもあり、ディスプレイの動作状態以外において、上記光透過領域からハーフミラー内部が透けて見えないようにする構成が望まれていた。
【０００８】
一方、ディスプレイに映像を表示した場合は、上記光透過領域を介して上記ハーフミラー前面側から上記ディスプレイ映像を鮮明に見ることができる構造が望まれる。
【０００９】
本発明は上記従来の課題に鑑みてなされたものであり、ディスプレイを動作していない状態において、ハーフミラーの裏面側が極力見えないように構成すると共に、ディスプレイ動作時はディスプレイ映像を鮮明に見ることができる薄型ディスプレイ用ハーフミラー及びそのハーフミラーを用いた薄型ディスプレイ装置を提供することを目的とする。
【課題を解決するための手段】
【００１０】
上記の目的を達成するため本発明は、
第１に、薄型ディスプレイの前面側に配置されるハーフミラーであって、ハーフミラーの上記ディスプレイ側の裏面において、上記ディスプレイに対応する部分以外の領域に遮光層を設け、上記ディスプレイに対応する領域を光透過領域とした薄型ディスプレイ用ハーフミラーにおいて、上記ハーフミラーの裏面と上記遮光層との間に透明フィルム層を設け、上記光透過領域においては上記ハーフミラーの裏面側に上記透明フィルム層が介在するように構成したものであることを特徴とする薄型ディスプレイ用ハーフミラーにより構成される。
【００１１】
上記透明フィルム層は例えば透明フィルムをハーフミラーの裏面に貼着することにより構成することができる。上記遮光層は例えば遮光フィルムを上記透明フィルムに貼着することにより構成することができる。このように構成すると、ディスプレイのオフ時において、ハーフミラーの裏面側から光透過領域を介して前方側に透過する暗い光の強度が上記透明フィルムによりさらに弱められるので、ハーフミラーの前方側から光透過領域内部を確認し難くすることができ、ハーフミラー前面を自然な鏡として機能させることができる。一方、ディスプレイをオンすると、当該ディスプレイの強い光は透明フィルムを容易に透過してハーフミラー前方側に至るため、ハーフミラー前方側からディスプレイ映像を鮮明に見ることができる。
【００１２】
第２に、上記透明フィルム層は上記ハーフミラーの裏面側に透明フィルムを貼着することにより構成し、上記遮光層は上記透明フィルムの裏面側に遮光フィルムを貼着することにより構成したものであることを特徴とする上記第１記載の薄型ディスプレイ用ハーフミラーにより構成される。
【００１３】
このように構成すると、ハーフミラーの裏面側に透明フィルムと遮光フィルムを貼着するだけで薄型ディスプレイ用ハーフミラーを構成することができる。
【００１４】
第３に、上記透明フィルム層と上記遮光層は、透明フィルムの裏面側に上記遮光層を印刷により形成して遮光層付透明フィルムとし、当該遮光層付透明フィルムの表面側を上記ハーフミラー裏面に貼着することにより構成したものであることを特徴とする上記第１記載の薄型ディスプレイ用ハーフミラーにより構成される。
【００１５】
上記印刷はＵＶ印刷により行うことが好ましい。このように構成すると、１枚の遮光層付透明フィルムをハーフミラーに貼着するだけで薄型ディスプレイ用ハーフミラーを構成することができ、製造工程を効率化することができる。
【００１６】
第４に、上記第１〜３の何れかに記載の薄型ディスプレイ用ハーフミラーを薄型ディスプレイの前面側に設置し、上記ディスプレイに対応する上記ハーフミラーの部分に上記光透過領域を対応させたものであることを特徴とする薄型ディスプレイ装置により構成される。
【００１７】
このように構成すると、ディスプレイのオフ時においてハーフミラーの前方側から光透過領域内部を確認し難くすることができ、ハーフミラー前面を自然な鏡として機能させることができ、一方、ディスプレイをオンした場合はハーフミラー前方側からディスプレイ映像を鮮明に見ることができる高性能な薄型ディスプレイ装置を実現し得る。
【発明の効果】
【００１８】
本発明は上述のように構成したので、ディスプレイのオフ時においては、ハーフミラーの前方側から光透過領域内部を確認し難くして、ハーフミラー前面を自然な鏡として機能させ、しかも、ディスプレイをオンするとハーフミラー前方側からディスプレイ映像を鮮明に見ることができ、薄型ディスプレイ用として高性能なハーフミラーを実現したものである。
【００１９】
また、その構成も既存のハーフミラーに透明フィルムと遮光フィルムを貼着するだけでよいため、容易に製造を行うことができる。
【００２０】
また、遮光層を透明フィルムに印刷により形成することにより、構造をより簡易化することができる。
【００２１】
また、ディスプレイのオフ時は、ハーフミラー内部が透けて見えることがなく、自然な鏡として機能し、ディスプレイをオンした場合はハーフミラー前方側からディスプレイ映像を鮮明に見ることができる高性能な薄型ディスプレイ装置を実現し得る。
【図面の簡単な説明】
【００２２】
【図１】本発明に係る薄型ディスプレイ用ハーフミラーを使用した薄型ディスプレイ装置の分解斜視図である。
【図２】（ａ）は同上装置の正面図、（ｂ）は同上装置の側面断面図である。
【図３】同上ハーフミラーの分解斜視図である。
【図４】同上ハーフミラーの光透過領域を含む側面断面図である。
【図５】同上ハーフミラーの光透過領域における光の様子を示す説明図であり、（ａ）は本発明に係る同上ハーフミラーを用いた場合、（ｂ）は従来のハーフミラーを用いた場合を示す。
【図６】同上ハーフミラーの他の実施形態を示す分解斜視図である。
【図７】同上他の実施形態のハーフミラーの光透過領域を含む側面断面図である。
【発明を実施するための形態】
【００２３】
以下、本発明に係る薄型ディスプレイ用ハーフミラー及びそれを用いた薄型ディスプレイ装置を詳細に説明する。
【００２４】
図１は本発明に係るハーフミラーを用いた薄型ディスプレイ装置の分解斜視図、図２（ａ）は同上ディスプレイ装置の正面図、同図（ｂ）は側面断面図を示す。
【００２５】
上記薄型ディスプレイ装置１は、方形フレーム２と方形フレーム２の背面を閉鎖する黒色遮蔽ボード３と該ボード３の中央部に４個のフック４ａにより固定されたディスプレイ（例えば液晶ディスプレイ）４により構成されたディスプレイユニット５と（図２参照）、当該ディスプレイユニット５を直立状態で固定するための方形枠６と、上記方形枠６の前面側を閉鎖する薄型ディスプレイ用ハーフミラー７とから構成されている。
【００２６】
上記ディスプレイユニット５は、上記方形枠６の上面９ａ、下面９ｂとの間に垂直に配置し、上記ディスプレイユニット５の上辺に２個及び下辺に２個設けられた高さ調整脚８を以って、当該ディスプレイユニット５を上記上面９ａ及び下面９ｂとの間に突っ張り状態で固定し（図２（ａ）（ｂ）参照）、その後、上記ハーフミラー７を上記方形枠１の前面側に固定することにより上記薄型ディスプレイ装置１が構成されている（図２（ａ）（ｂ））。
【００２７】
上記薄型ディスプレイ用ハーフミラー７の背面側の周縁にはアルミニウム製の長方形の補強フレーム１０が接着固定されており、当該補強フレーム１０の左右の上下各２箇所（計４箇所）に上向溝１１ａを有する溝部材１１が設けられており、上記ハーフミラー７は、これら溝部材１１の上向溝１１ａに上記方形フレーム２の前面側に設けられた４箇所の円形フック１２を各々係合することにより、上記方形枠６前面に固定されている（図２（ａ）（ｂ）参照）。
【００２８】
この薄型ディスプレイ用ハーフミラー７は、上記ディスプレイユニット５側の裏面において、上記ディスプレイユニット５のディスプレイ４に対応する長方形の領域である光透過領域７ａを残して、それ以外の領域７ｂに遮光フィルム２３（図３参照）が貼着されている。即ち、上記ハーフミラー７は、上記光透過領域７ａ以外の領域７ｂにおいては、ハーフミラー７の表面側から裏面側、或いはハーフミラー７の裏面側から表方側に光を透過しない遮光領域７ｂとなっている。
【００２９】
この薄形ディスプレイ用ハーフミラー７は、図３に示すように、無色透明のハーフミラー２０と、該ハーフミラー２０の裏面（金属薄膜層２１側）に貼着された無色透明の透明フィルム２２と、該透明フィルム２２の裏面に貼着され、上記光透過領域７ａに対応する長方形切欠部２３ｂが設けられた遮光フィルム２３により構成されている。
【００３０】
上記ハーフミラー２０は、図４に示すように、４ｍｍ厚の無色透明のガラス板２０ａの裏面全体にスパッタリングによって光を一部透過する金属薄膜層２１を形成したものであり、これ自体、いわゆるハーフミラーとしての機能を有している。尚、図４、図５、図７の断面図はハーフミラー７の構造を模式的に示したものであり、図中の各層の厚みは実際とは異なる。
【００３１】
上記透明フィルム２２は、ポリエステル樹脂から形成された無色透明の樹脂フィルム（例えば可視光透過率９０％、紫外線透過率１％）であり、一方の面全体に接着剤層２２ａが形成されている。この透明フィルム２２はその厚さは２０μｍ〜１００μｍ、好ましくは３０μｍ〜８０μｍであるが、本実施形態では５０μｍの透明フィルムを使用している。この透明フィルム２２は上記ハーフミラー２０の金属薄膜層２１側の全体に上記接着剤層２２ａを以って貼着されている（図４参照）。接着剤層２２ａに使用される接着剤は例えばアクリル系の粘着剤であり、その厚みは約２６μｍの無色透明の接着剤である。
【００３２】
上記遮光フィルム２３は、ポリエステル樹脂から形成された黒色の樹脂フィルムであり、一方の面全体に接着剤層２３ａが形成されている。この遮光フィルム２３は、少なくとも可視光線を完全に遮断するフィルム、即ち、日射透過率が０％、可視光線透過率が０％、厚みは８２μｍ程度のフィルムを使用することが好ましい。この遮蔽フィルム２３は上記光透過領域７ａに対応する長方形の切欠部２３ｂが設けられており、該切欠部２３ｂ以外の遮光領域２３ｃの全面に上記接着剤層２３ａが形成されている。この遮光フィルム２３は上記透明フィルム２２の他面側に上記接着剤層２３ａを以って貼着されており、上記切欠部２３ｂが上記ハーフミラー７の光透過領域７ａに対応しており、上記遮光領域２３ｃが上記ハーフミラー７の上記遮光領域７ｂに対応するものである。
【００３３】
このように構成された上記薄型ディスプレイ用ハーフミラー７は、その背面側（遮光フィルム２３側）に上記補強フレーム１０が接着により取り付けられる。
【００３４】
従って、上記補強フレーム１０を具備した上記薄型ディスプレイ用ハーフミラー７をその裏面側から上記ディスプレイユニット５の固定された方形枠６の前面側に宛がい、上記方形フレーム２の上記フック１２を上記溝部材１１の上向溝１１ａ内に係合することにより、上記ハーフミラー７を上記方形枠６に固定することができる（図２（ａ）（ｂ））。このとき、上記方形枠６内のディスプレイ４が上記ハーフミラー７の光透過領域７ａ（切欠部２３ｂ）に対応して位置するように構成されている（図２（ａ）参照）。
尚、図２（ｂ）中の符合Ｗは、薄型ディスプレイ装置１が設置された壁面であり、薄型ディスプレイ用ハーフミラー７はこのように壁面Ｗに面一状態に設置することができる。
【００３５】
本発明は上述のように構成されているので、次に、本発明の機能について説明する。ここで、説明を簡易にするために、図５の説明図を用いる。同図において、（ａ）は、本発明の薄型ディスプレイ用ハーフミラー７において透明フィルム２２が存在する上記光透過領域７ａでの光の反射及び透過を模式的に表したものであり、同図（ｂ）は比較のための図であり、一般的なハーフミラー（ガラス板２０ａ’と金属薄膜層２１’）において同図（ａ）と同様の条件で光の反射及び透過を模式的に表したものである。尚、同図（ａ）においては接着剤層は図示を省略している。また、同図（ｂ）において、同図（ａ）と対応する入射光、反射光、透過光については同一符号に「’」を附して表している。また、図５中、ハーフミラーを中心として右側を方形枠６内部、左側を室内とする。
【００３６】
本発明に係る薄型ディスプレイ装置１において、ディスプレイ４をオンしていない場合は、ディスプレイ４のバックライトは点灯しておらず、方形枠６内は室内に比較して暗いので、上記薄型ディスプレイ用ハーフミラー７はその全体が鏡として機能する。
【００３７】
このとき、上記ハーフミラー７の光透過領域７ａにおいて、室内側から該領域７ａに入射する光（入射光３０）は（図５（ａ）参照）、ハーフミラー７の金属薄膜層２１にて室内側に反射するが（反射光３１）、入射光３０の一部は光半透過性の上記金属薄膜層２１及び上記透明フィルム２２を透過して上記方形枠６内に入射する（透過光３２）。このとき上記透過光３２は、透明フィルム２２が存在しない場合（図５（ｂ）の透過光３２’）に比較して、透明フィルム２３を透過することにより光の強度が低下する。よって、透明フィルム２２が存在しない場合（図５（ｂ））に比較して、方形枠６内はより暗くなり、ハーフミラー７前方側から見え難くなる。
【００３８】
一方、上記光透過領域７ａにおいて、上記方形枠６内部から上記透明フィルム２２、上記ハーフミラー７の金属薄膜層２１、及びガラス板２０ａを介してハーフミラー７の前方に透過する光が存在する。ここで方形枠６内部の光を内部光３３、上記透過光を透過光３４とする。この場合、上記透過光３４の強度が強いと、上記ハーフミラー７の前方側から方形枠６内部が見えることになるため、当該透過光３４の強度は上記反射光３１の強度に比較してできるだけ小さくする必要がある。
【００３９】
本発明においては、上記内部光３３が上記透明フィルム２２を透過することにより、その強度が低下し（図５（ａ）透過光３４参照）、この透過光３４の強度は一般的なハーフミラーの場合（図５（ｂ）透過光３４’参照）と比較して小さくなるため、上記反射光３１との光の強度差がより大きくなる。これにより、上記ハーフミラー７の光透過領域７ａにおいて、上記ディスプレイ４をオンしていない状態においては、透過光３４はほとんど確認できない状態、即ち、ディスプレイ領域７ａから方形枠６内部が殆ど見えない状態とすることができる。
【００４０】
従って、ディスプレイ４をオンしていない状態においては、光透過領域７ａにおいても、ハーフミラー７の前面側においては、上記反射光３１が強い状態、即ち、遮光領域７ｂと同様に鏡として機能する。
【００４１】
そして、上記光透過領域７ａにおいて、上記透過光３４の強度が弱いので、反射光３１だけが存在する遮光領域７ｂとの光量の差異がほとんどなくなり、遮光領域７ｂと光透過領域７ｂとの境界線、即ち、遮光フィルム２３の切欠部２３ｂの周縁部も確認し難くなり、その結果、ハーフミラー７の前面側においては、光透過領域７ａの存在が殆ど判別できなくなり、全体が１枚の鏡として機能する。
【００４２】
一方、上記ディスプレイ４をオンして、該ディスプレイ４に映像を表示した場合は、ディスプレイ４のバックライトにより、上記光透過領域７ｂにおいて、上記ディスプレイ４から上記透明フィルム２２、金属薄膜層２１、及びガラス板２０ａを介して前方側に光が透過するので、上記ハーフミラー７の前方側において、上記ディスプレイ４の映像を鮮明に見ることができる。
【００４３】
図６、図７に示すものは、本発明に係る薄型ディスプレイ用ハーフミラーの他の実施形態を示すものであり、透明フィルムの裏面側に遮光層をＵＶ印刷により形成したものである。尚、この実施形態において、上記図３、図４に示す上記実施形態と同一部分は同一符号を付しており、同一部分については便宜上説明は省略する。
【００４４】
これらの図において、４０は遮光層付透明フィルムであり、上記透明フィルム２２と同一の透明フィルム２２の裏面に、上記ディスプレイ４に対応する長方形の切欠部２３ｂ’を残して黒色の遮光層２３’をＵＶ印刷により形成したものである。よって、上記遮光層付透明フィルム４０は、上記切欠部２３ｂ’において透明フィルム４０が存在している構造となっている（図７）。
【００４５】
そして、かかる遮光層付透明フィルム４０は、その上記透明フィルム２２側の全面に接着剤層２２ａが形成されており、当該透明フィルム４０を上記接着剤層２２ａを以って上記ハーフミラー２０の金属薄膜層２１の面に貼着することにより、上記薄型ディスプレイ用ハーフミラー７が形成されている（図７）。
【００４６】
この薄型ディスプレイ用ハーフミラー７においても、上記遮光層２３’が形成された側に方形の上記補強フレーム１０が接着により固定される。
【００４７】
かかるハーフミラー７においても、上記実施形態と同様に、上記方形フレーム２に固定することにより、図２（ａ）（ｂ）に示す薄型ディスプレイ装置１が構成される。
【００４８】
本実施形態においては、光透過領域７ａにおいては透明フィルム２２が介在するので、上記実施形態と同様の効果を得ることができると共に、透明フィルム２２と遮光層２３’が一体化しているので、１枚の遮光層付透明フィルム４０をハーフミラー２０に貼着するだけで薄型ディスプレイ用ハーフミラー７を形成することができ、該ハーフミラー７の製造を効率化することができる。
【００４９】
本発明は以上のように、ディスプレイ４のオフ時においては、ハーフミラー７の前方側から光透過領域７ａ内部が透けて見えることを防止し、ハーフミラー７前面を自然な鏡として機能させ、しかも、ディスプレイ４をオンするとハーフミラー７前方側からディスプレイ映像を鮮明に見ることができ、高性能な薄型ディスプレイ用ハーフミラーを実現したものである。
【００５０】
また、その製造も既存のハーフミラー２０に透明フィルム２２と遮光フィルム２３を貼着するだけでよいため、製造も容易に行うことができる。
【００５１】
また、遮光層２３’を透明フィルム２２に印刷により形成することにより、構造をより簡易化することができる。
【００５２】
また、ディスプレイ４のオフ時は、ハーフミラー７内部が透けて見えることがなく、自然な鏡として機能し、ディスプレイ４をオンした場合はハーフミラー７前方側からディスプレイ映像を鮮明に見ることができる高性能な薄型ディスプレイ装置を実現し得る。
【実施例】
【００５３】
以下の条件で比較実験を行った。
（１）実験に使用した本発明に係る薄型ディスプレイ用ハーフミラー
ハーフミラー：厚４ｍｍのスパッタリングガラス（無色透明のガラスの裏面にスパッタリングにより光を一部透過する金属薄膜層を設けたハーフミラー）
透明フィルム：ポリエステル製、厚さ５０μｍの無色透明フィルム（窓ガラス用飛散防止フィルムを使用）
可視光線透過率：９０％
紫外線透過率  ：  １％
遮光フィルム：ポリエステル製、厚さ８２μｍの黒色フィルム
可視光線透過率：０％
日射透過率    ：０％
接着剤：アクリル系粘着剤（厚さ２６μｍ）
（２）比較実験
厚さ４ｍｍの上記ハーフミラーの後面の全面に上記接着剤にて上記透明フィルムを接着し、光透過領域としての切欠部２３ｂを有する上記遮光フィルムを上記接着剤にて上記透明フィルム後面に接着することにより、図４、図５（ａ）に示す構造の薄型ディスプレイ用ハーフミラーを作成し、図２に示すようにディスプレイ４の設置された方形枠６の前面に密着固定した。
比較例として上記透明フィルムを使用しない図５（ｂ）構造のハーフミラーを作成し、同様にディスプレイ４の設置された方形枠６の前面に密着固定した。
かかる状態で、本発明のハーフミラーと比較例のハーフミラーについて、ディスプレイのオフ時とオン時において、目視による観測実験を行った。
（３）結果
【００５４】
【表１】
2011071973.tif 000003
表１に示すように、本発明の薄型ディスプレイ用ハーフミラーを使用した場合は、ディスプレイのオフ時において、光透過領域の内部がほとんど見えない状態となり、光透過領域及び内部のディスプレイの存在を殆ど認識できない理想的なハーフミラーを構成することができた。これに対して、比較例においては、ディスプレイのオフ時において、光透過領域の内部及び縁が若干透けて見える従来のミラーを構成するものであった。ディスプレイのオン時においては両者ともにディスプレイの映像を明確に確認することができた。
尚、上記透明フィルムは可視光透過率９０％のものを使用したが、可視光透過率８０％〜９０％、或いは９０％以上（９０％〜９９％）のものを使用しても上記と同様の結果が得られた。
【産業上の利用可能性】
【００５５】
本発明に係る薄型ディスプレイ用ハーフミラー及び薄型ディスプレイ装置は、商業ビル、オフィスビル、駅構内のロビー等の公共的な施設の大型ディスプレイ用として、或は家庭の浴室、洗面台等の小型ディスプレイ用として、広く適用が可能である。
【符号の説明】
【００５６】
１        薄型ディスプレイ装置
４        ディスプレイ
５        薄型ディスプレイユニット（薄型ディスプレイ）
７        薄型ディスプレイ用ハーフミラー
７ａ      光透過領域
７ｂ      遮光領域
２０      ハーフミラー
２１      金属薄膜層
２２      透明フィルム（透明フィルム層）
２３      遮光フィルム（遮光層）
２３ｂ    切欠部
２３’    遮光層
２３ｂ’  切欠部
４０      遮光層付透明フィルム
【図１】
2011071973.tif 000004
【図２】
2011071973.tif 000005
【図３】
2011071973.tif 000006
【図４】
2011071973.tif 000007
【図５】
2011071973.tif 000008
【図６】
2011071973.tif 000009
【図７】
2011071973.tif 000010